(57)【要約】【課題】  外耳、眼鏡フレームおよび側頭部との個人差に応じたイヤパッドの調整ができることにより、外耳を圧迫変形することによる痛みを飛躍的に改善したヘッドホンを提供する。【解決手段】  このヘッドホン１は、絶縁被膜２を施した形状記憶合金８をイヤパッド３内に埋め込む。また、イヤパッド形状を使用者の要求する任意の形状に変化させることができるため、耳へのフィット感を損なうことなく、音漏れや音質の劣化を防止することができる。また、使用後は、形状記憶合金に通電させることにより、その発熱で使用前の形状に変形させることができる。これにより、繰り返し使用可能な耳装着構造用イヤパッド３である。【選択図】          図１
2007180733.tif 000002
【特許請求の範囲】
【請求項１】
ヘッドホンのイヤパッド材内部に形状記憶合金を配置し、ヘッドホンのイヤパッド材を任意の形状に変形させることを可能としたヘッドホン用イヤパッド。
【請求項２】
イヤマフのイヤパッド材内部に形状記憶合金を配置し、イヤマフのイヤパッド材を任意の形状に変形させることを可能としたイヤマフ用イヤパッド。
【請求項３】
ヘッドセットのイヤパッド材内部に形状記憶合金を配置し、ヘッドセットのイヤパッド材を任意の形状に変形させることを可能としたヘッドセット用パッド
【請求項４】
ヘルメットのイヤパッド材内部に形状記憶合金を配置し、ヘルメットのイヤパッド材を任意の形状に変形させることを可能としたヘルメット用チークパッド。
【請求項５】
請求項１〜４のイヤパッド材内部に配置される形状記憶合金において、通電による発熱を利用し、任意の形状に変形させたイヤパッド材内部に配置される形状記憶合金の形状を初期形状に回復させ、イヤパッド材を初期形状に変形させ、繰り返し使用可能ことを可能とするパッド。
【発明の詳細な説明】
【技術分野】
【０００１】
本発明は、ヘッドホン、イヤマフおよびヘルメットなどの、耳を押さえつける装置に採用可能なイヤパッド材の構造に関するものである。
【背景技術】
【０００２】
視力矯正や目を保護するために、眼鏡をかける人にとって、密閉型ヘッドホン、イヤマフおよびヘルメットなどの、耳を押さえつける装置を身につける場合、イヤパッド材からの側圧により、長時間の使用は非常に大きな痛みを伴っていた。
【０００３】
これに対して、特許文献１に示されるように、イヤパッド材の厚み、または、硬さを暫時連続的に変形させ、耳へのフィット感を損なうことなく、音漏れや音質の劣化を防止することができるイヤパッド材を採用している。
【０００４】
また、特許文献２に示されるように、頭蓋骨を左右から押さえつけるための伸縮可能なスプリング部材を用い、使用者の頭部を圧迫して支持し、頭頂部と耳介との距離の個人差に応じた調整を自動的に行い、音漏れや音質の劣化を防止するヘッドホンを採用している。
さらに、特許文献３に示されるように、形状記憶合金と狭持一体化した弾性発泡ポリマの形状を耳甲介長と耳甲介幅に合致する楕円形状にしたことを特徴とし、低域再生および装着性に優れたヘッドホンを採用している。
【０００５】
【特許文献１】特開２００３−３３３６７８号公報
【特許文献２】特開平０５−２０８４７０号公報
【特許文献３】特開昭６３−１５６４９８号公報
【発明の開示】
【発明が解決しようとする課題】
【０００６】
眼鏡をかける人にとって、密閉型ヘッドホン、イヤマフおよびヘルメットなどの両耳を外側から挟み込む耳装着構造は、外耳を圧迫変形して長時間使用すると、痛みを感じる場合がある。
【０００７】
特許文献１〜３に示されるような耳装着構造では、イヤパッドの変形に対する反発力は直接眼鏡フレームに加わるため、根本的な解決に至らない。
【０００８】
また、特許文献１〜３に示されるような耳装着構造では、外耳、眼鏡フレームおよび側頭部との個人差に応じたイヤパッドの調整ができないことにより、使用者に過度な痛みが加わり、不快である。
【０００９】
本発明は、このような従来の問題を解決しようとするもので、外耳、眼鏡フレームおよび側頭部との個人差に応じたイヤパッドの調整ができることにより、外耳を圧迫変形することによる痛みを飛躍的に改善するものである。これを実現するために、絶縁被膜を施した形状記憶合金をイヤパッド内に埋め込む。
【００１０】
また、イヤパッド形状を使用者の要求する任意の形状に変化させることができるため、耳へのフィット感を損なうことなく、音漏れや音質の劣化を防止することができる。また、使用後は、形状記憶合金に通電させることにより、その発熱で使用前の形状に変形させることができる。これにより、繰り返し使用可能な耳装着構造用イヤパッドを提供することを目的としている。
【課題を解決するための手段】
【００１１】
本発明では、絶縁被膜を施した形状記憶合金をイヤパッド内に埋め込む。これにより、使用者が装着時に一度強く押し付けることで、形状記憶合金が眼鏡フレームおよび外耳を含む側頭部の輪郭を記憶し、支障をきたさない形状にイヤパッドを変形させることができる。
また、イヤパッド内に埋め込まれた絶縁被膜の形状記憶合金は、イヤパッドの変形に対する反発力を受け止めるため、使用者に不快な反発力が加わることは無い。
【００１２】
さらに本発明では、形状記憶合金に通電することで、形状回復を図り、繰り返し使用者の要求する形状を記憶させることができる。
【発明の効果】
【００１３】
本発明のイヤパッドを有した耳装着構造を使用することにより、眼鏡をかける人にとって、密閉型ヘッドホン、イヤマフおよびヘルメットなどの両耳を外側から挟み込む耳装着構造は、外耳を圧迫変形して長時間使用すると生じる痛みを抑制することができる。
【００１４】
さらに、イヤパッド形状を使用者の要求する任意の形状に変化させることができるため、耳へのフィット感を損なうことなく、音漏れや音質の劣化を防止することができる。また、使用後は、形状記憶合金に通電させることにより、その発熱で使用前の形状に変形させることができる。これにより、さまざまな人が繰り返し使用可能となる高価な芸術的耳装着構造用イヤパッドを提供することができる。
【発明を実施するための好ましい形態】
【００１５】
図１に示すように、耳を押さえつける装置であるイヤパッド３内部に形状記憶合金８を取り付ける。また、図２に示すように、形状記憶合金８には、絶縁被膜９を施すものとする。図１に示すように、イヤパッド３内部の絶縁被膜を施した形状記憶合金２の形状は、らせん形状を有し、１本もしくは数本配置させるものとする。また、イヤパッド３内部の絶縁被膜を施したらせん形状型形状記憶合金２の両端の厚みは、図３に示すように、暫時連続的に変化させたものとする。さらに、図３に示すように、形状記憶合金に通電させるために、配電方法を工夫するものとする。
（実施例１）
【００１６】
図１は実施例１のヘッドホン１、図２はヘッドホン１のイヤパッド３内の形状記憶合金、図３はイヤパッド３内の形状記憶合金の形状および導線の配線図の例についての説明図である。
【００１７】
使用者が装着時に、耳装着装置であるヘッドホン１を頭部に挟み込んだ状態で一度強く押し付けることにより、形状記憶合金８が眼鏡フレームおよび外耳を含む側頭部の輪郭を記憶し、 支障をきたさない形状にヘッドホン１のイヤパッド３を変形させることができる。また、イヤパッド３内に埋め込まれた形状記憶合金８は、イヤパッド３の変形に対する反発力を受け止めるため、使用者に不快な反発力が加わることがなくなる。さらに本発明では、形状記憶合金８に通電することで、形状回復を図り、繰り返し使用者の要求する形状を記憶させることができる。
【００１８】
図２に示すように、ヘッドホン１のイヤパッド３内の形状記憶合金８には、形状回復の際の通電による発熱が、イヤパッド３に影響をきたさないようにするため、絶縁被膜９を取り付けるものとする。
【００１９】
図３に示すように、イヤパッド３内部の絶縁被膜を施した形状記憶合金２の形状は、らせん形状を有し、一本もしくは数本配置させ、使用者の要求する形状に、形状を記憶させやすいようにする。また、使用者の要求する形状に、形状を記憶させた際には、使用者により、イヤパッド３内部の絶縁被膜を施した形状記憶合金２は曲げられるため、絶縁被膜を施した形状記憶合金２がイヤパッド３内部に十分配線されない問題が発生する可能性がある。その問題を解決するために、図３に示すように、イヤパッド３内部の絶縁被膜を施した形状記憶合金２の端の大きさを暫時連続的に変化させるものとする。これにより、使用者により、イヤパッド３内部の絶縁被膜を施した形状記憶合金２を曲げた後でも、イヤパッド内に十分配線することができる。
【００２０】
また、図１に示すように、ヘッドホン１のイヤパッド３内部の絶縁被膜を施した形状記憶合金２は、外耳を圧迫変形して長時間使用すると生じる痛みをより防ぐため、絶縁被膜を施した形状記憶合金２のイヤパッド３内部での配置は、外耳側に近づけるようにするものとする。これにより、イヤパッド３の反発力をより多く支えることができる。
（実施例２）
【００２１】
図４は実施例２のイヤマフ１０についての説明図である。
【００２２】
イヤマフ１０のイヤパッド３内の形状記憶合金８には、実施例１のように、絶縁被膜９を取り付けるものとする（図２）。
【００２３】
イヤマフ１０のイヤパッド３内部の絶縁被膜を施した形状記憶合金２の形状は、実施例１のように、イヤパッド３内部の絶縁被膜を施した形状記憶合金２端の大きさを暫時連続的に変化させるものとする。
【００２４】
また、図４に示すように、イヤマフ１０の絶縁被膜を施した形状記憶合金２のイヤパッド３内部での配置は、外耳側に近づけるようにするものとする。これにより、イヤパッド３の反発力をより多く支えることができる。
（実施例３）
【００２５】
図５は実施例３のヘルメット１５、図６は実施例３のヘルメットのチークパッドの拡大、図７は実施例３のヘルメットのチークパッド内の形状記憶合金、図８は実施例３のヘルメットのチークパッド内の形状記憶合金の形状および導線の配線図の例についての説明図である。
【００２６】
ヘルメット１１のチークパッド１２内の形状記憶合金８には、実施例１のように、絶縁被膜９を取り付けるものとする（図２）。
【００２７】
ヘルメット１１のチークパッド１２内部に配置する絶縁被膜を施した形状記憶合金１５は、図８に示すような形状をもたせるものとする。
【００２８】
また、図７に示すように、ヘルメット１１の絶縁被膜を施した形状記憶合金１５のチークパッド１２内部での配置は、外耳側に近づけるようにするものとする。これにより、チークパッド１２の反発力をより多く支えることができる。
【産業上の利用可能性】
【００２９】
本発明は、実施例にあげたヘッドホン１、イヤマフ１０、ヘルメット１１以外にも、頭蓋骨を左右から押さえつけ、耳に装着する装置に普く使用可能である。
【図面の簡単な説明】
【００３０】
【図１】実施例１の耳装着構造であるヘッドホンのイヤパッドと形状記憶合金
【図２】実施例１および実施例２のイヤパッド内の形状記憶合金
【図３】実施例１および実施例２のイヤパッド内の形状記憶合金の形状および導線の配線図の例
【図４】実施例２の耳装着構造であるイヤマフのイヤパッドと形状記憶合金
【図５】実施例３のヘルメット
【図６】実施例３のヘルメットのチークパッドの拡大
【図７】実施例３のヘルメットのチークパッド内の形状記憶合金
【図８】実施例３のヘルメットのチークパッド内の形状記憶合金の形状および導線の配線図の例
【符号の説明】
【００３１】
１ヘッドホン
２１５絶縁被膜を施した形状記憶合金
３イヤパッド
４ハウジング部
５連結ブリッジ部
６スピーカユニット
７導線
８形状記憶合金
９絶縁被膜
１０イヤマフ
１１ヘルメット
１２チークパッド
１３センターパッド
１４シェル
【図１】
2007180733.tif 000003
【図２】
2007180733.tif 000004
【図３】
2007180733.tif 000005
【図４】
2007180733.tif 000006
【図５】
2007180733.tif 000007
【図６】
2007180733.tif 000008
【図７】
2007180733.tif 000009
【図８】
2007180733.tif 000010